(57)【要約】  上部部分１Ａと下部部分１Ｂとで構成される回転する外側ケースを含み、この外側ケース内には、刈払用要素（単数または複数）または刈払用工具（単数または複数）の支持体（２）が収納されており、この支持体を軸心方向駆動シャフト（６）が貫通しており、前記刈払用要素（単数または複数）または刈払用工具（単数または複数）の支持体は、前記軸心方向駆動シャフト上に取付けられており、かつ刈払用要素または刈払用工具を選択的に取付けるための二つの段、すなわち刈払用ワイヤーストランド（３）を取付けるように配置された第一段と、互換性ある刈払用回転刃（５）を取付けるように配置された第二段と、が具備されている多機能刈払用回転ヘッド（１）およびこのようなヘッドを備えた携帯型機器。【選択図】図６
2013524803.tif 000002
【特許請求の範囲】
【請求項１】
刈払機用の多機能刈払用回転ヘッド（１）およびこのような多機能刈払用回転ヘッドを備えた携帯型機器において、
少なくとも二つの部分（１Ａ−１Ｂ）、すなわち上部部分とその基部に組立てられた下部部分とで構成される回転する外側ケースを含み、該外側ケース内には、制限された振幅で軸心方向に並進運動できる状態で刈払用要素（単数または複数）または刈払用工具（単数または複数）（３、５）の支持体（２）が収納されており、この支持体と一体化した形で回転駆動する軸心方向シャフト（６）が支持体を貫通しており、その上部部分は、携帯型刈払機をその原動機と結合させることができるように配置されており、前記刈払用要素（単数または複数）または刈払用工具（単数または複数）の支持体が、前記軸心方向駆動シャフト上に制限された振幅で軸心方向に移動できる状態で取付けられており、前記刈払用要素（単数または複数）または刈払用工具（単数または複数）の支持体には、刈払用要素または刈払用工具を選択的に取付けるための二つの段、すなわち：
−  刈払用ワイヤーストランド（３）を取付けるように配置された第一段と、
−  互換性ある刈払用回転刃（５）を取付けるように配置された第二段と、
が具備されていることを特徴とする、多機能刈払用回転ヘッドおよび携帯型機器。
【請求項２】
−  上の前記第一段が、刈払用ワイヤーストランド（３）を取付けるように配置されていることと、
−  下の前記第二段が、互換性ある刈払用回転刃（５）を取外し可能な形で取付けるように配置されていることを特徴とする、請求項１に記載の多機能刈払用回転ヘッド（１）。
【請求項３】
前記外側ケースと前記刈払用要素（単数または複数）または刈払用工具（単数または複数）の支持体とに対して相対的反対の方向の軸心方向運動を同時に印加することで、
−  選択された刈払用要素（単数または複数）のタイプに対応する段が、前記刈払用要素（単数または複数）（３、５）の位置づけまたは取出しを可能にする位置へ装着される；または、
−  該刈払用要素（単数または複数）が、選択された複数の刈払用要素（５）のタイプに対応する前記支持体の段上に固定される；
ような形に適応された、選択された刈払用要素（単数または複数）（３、５）の固定または分離用手段（８）を含む、請求項１または請求項２に記載の多機能刈払用回転ヘッド。
【請求項４】
外側ケース（１）ならびに刈払用要素（単数または複数）または刈払用工具（単数または複数）（３、５）の支持体（２）は、前記外側ケースとその内部に収納された前記支持体とに対する収束的な軸心方向運動の同時印加が、前記刈払用要素（単数または複数）の位置づけまたは取出しを可能にする位置への選択された刈払用要素（単数または複数）のタイプに対応する段への装着を可能にするために使用され、一方前記外側ケースと前記支持体とに対する発散的な軸心方向運動の同時印加が、選択された刈払用要素のタイプに対応する支持体の段上での前記刈払用要素（単数または複数）の自動的固定を可能にするような形で、配置されていることを特徴とする、請求項１〜３のいずれか一つに記載の多機能回転刈払用回転ヘッド。
【請求項５】
外側ケース（１）と刈払用要素（単数または複数）または刈払用工具（単数または複数）（３、５）の支持体（２）とについての相対的収束的な軸心方向運動が、弾性付勢手段（７）の作用下で自動的に得られ、こうして、刈払用回転ヘッド内に位置づけされた後の刈払用要素または刈払用工具の自動的固定が可能になることを特徴とする、請求項１〜４のいずれか一つに記載の多機能刈払用回転ヘッド。
【請求項６】
弾性付勢手段が、外側ケースの内部間仕切り（４）と内部刈払用要素または刈払用工具（単数または複数）の支持体（２）との間に間置され圧縮作用を及ぼすバネ（７）により構成されていることを特徴とする、請求項５に記載の多機能回転刈払用回転ヘッド。
【請求項７】
刈払用要素（単数または複数）または刈払用工具の支持体の上部段は、互いに対しておよび刈払用回転ヘッドの回転軸心に対して平行な平面内で旋回できる状態で取付けられた挟持用カム（９）を有する締結機構の支持体と回転的に一体化され外側ケースの側壁（１Ｄ）内に設けたオリフィス（１Ｃ）を貫通して刈払用回転ヘッドの外側ケースの内部に係合された刈払用ストランド（３）を締結する機構（８、９、１０）を含んでおり、この刈払用要素または刈払用工具の支持体が刈払用回転ヘッドの外側ケース内で制限された振幅で軸心方向並進運動できる状態で取付けられており、この外側ケースと締結機構の支持体（２）は相補的に配置されており、こうして、前記外側ケースと前記支持体とに対する収束的な軸心方向運動の同時印加は、刈払用回転ヘッドの内部での刈払用ストランド（３）の導入、摺動または位置づけを許可するような形で挟持用カムを持ち上げることを可能にするために使用され、一方前記外側ケースと前記支持体とに対する発散的な軸心方向運動の同時印加は、刈払用回転ヘッド内で刈払用ストランドを活動位置に固定するよう前記カムを再度低下させることを可能にしていることを特徴とする、請求項１〜６のいずれか一つに記載の多機能刈払用回転ヘッド。
【請求項８】
締結機構（８）が、外側ケースの開口部（１Ｃ）の正面で刈払用回転ヘッドの回転軸心の両側で平行に配置された刈払用ストランド（３）の案内用および位置づけ用の通路（２Ｈ）を二本含んでおり、これらの通路の各々の入口部分が露出され、この露出部分と対面して旋回カム（９）が取付けられており、このカムは、前記露出部分の方向にその挟持用表面を押し当てるためのバネ（１０）の作用を受け、こうして位置づけ用通路内に係合した刈払用ストランドをこの通路の底部に対し強く圧迫し、こうして前記刈払用ストランドを確実に固定しており、外側ケース内には、該外側ケースの上部間仕切り（４）と一体化されカム（９）を押し戻し旋回させることを可能にするスラストフィンガー（１２）が備わり、こうして、外側ケースと締結機構の支持体が前記外側ケースの上部間仕切りと締結機構の支持体の上部面を接近させるための収束的圧迫力を受けた場合に、刈払用ストランド上のこのカムの圧迫を除去するようになっていることを特徴とする、請求項１〜７のいずれか一つに記載の多機能刈払用回転ヘッド。
【請求項９】
刈払用回転刃（５）が外側ケースの上部と下部部分（１Ａ、１Ｂ）との間に挿入されており、
−  刈払用要素または刈払用工具の支持体の下部段が、回転刃の支持体（２）により構成され、この回転刃の支持体と刈払用回転刃（５）には、この回転刃の位置づけ用および回転的結合用の相補的手段（２Ｃ、５Ｃ、６Ｄ）が具備されており、これらの手段は、前記外側ケースと前記回転刃の支持体とに対する相対的収束的な軸心方向運動の手作業による同時印加によってそれらの活動位置から分離されることができること；
−  駆動シャフトの遠位部分上に刈払用回転刃を軸心方向に固定する相補的手段；
−  回転刃が回転刃の支持体上に位置づけされた場合に、前記回転刃の支持体と回転刃を自動的に結合させる手段；
を特徴とする、請求項１〜８のいずれか一つに記載の多機能刈払用回転ヘッド。
【請求項１０】
回転刃の中央部分が、
−  一方では、駆動軸（６）の通過のための中央開口部（５Ａ）、前記中央開口部の両側に配置された二つの結合用オリフィス（５Ｆ）、湾曲した外縁部（１３Ａ）を有する二つの切抜き部（１３）と；
−  他方では、回転シャフトの遠位部分上でロック位置まで回転刃を圧入することを可能にする中実部分と；
を有することを特徴とする、請求項１〜９のいずれか一つに記載の多機能刈払用回転ヘッド。
【請求項１１】
回転刃の支持体（２）および回転刃の中央部分が、回転刃の支持体と回転刃とについての相対的収束的な軸心方向運動とそれに続く回転刃の回転運動による前記回転刃の支持体上への前記回転刃の装着を可能にするような形で配置され、回転刃の除去は逆の運動により行なわれることを特徴とする、請求項１〜１０のいずれか一つに記載の多機能回転刈払用ヘッド。
【請求項１２】
回転刃の支持体に対する刈払用回転刃の位置づけ用および結合用手段が、一方では、前記回転刃の支持体内に設けられた軸心方向開口部の両側で前記回転刃の支持体の下側面に配置された二つの結合用スタッド（１４）を含み、かつ他方では、駆動シャフト（６）の遠位部分が中に係合される回転刃の軸心方向開口部（５Ｂ）の両側に作られた二つのオリフィスを含んでいることを特徴とする、請求項１〜１１のいずれか一つに記載の多機能刈払用回転ヘッド。
【請求項１３】
内部の回転刃の支持体（２）と外側ケース（１Ａ）の回転的結合が、ケースの上部間仕切りの内部面と一体化され刈払用ヘッドの回転軸心に対し平行にこの刈払用ヘッドの内部に向かって配向されている駆動用フィンガー（１１）を用いて実行され、これらの駆動用フィンガーが、回転刃の支持体（２）内に設けられた溝（Ｒ）の中に摺動できる状態で係合されていることを特徴とする、請求項１〜１２のいずれか一つに記載の多機能刈払用回転ヘッド。
【請求項１４】
結合用溝（Ｒ）が、回転刃の支持体（２）の相対する少なくとも二つの側に設けられていることを特徴とする、請求項１〜１３のいずれか一つに記載の多機能刈払用回転ヘッド。
【請求項１５】
駆動シャフト（６）が、回転刃の支持体（２）内に設けられた軸心方向通路（２Ａ）を貫通し、シャフトの横断部分と前記軸心方向通路が、前記支持体の回転駆動を可能にするように適合された相補的断面形状（２Ａ、６Ｄ）を形成することを特徴とする、請求項１〜１４のいずれか一つに記載の多機能刈払用回転ヘッド。
【請求項１６】
前記刈払用回転ヘッドが、駆動シャフト（６）の貫通部分上における回転刃の支持体の軸心方向並進運動の振幅を制限するための手段（２０）を有することを特徴とする、請求項１〜１５のいずれか一つに記載の多機能刈払用回転ヘッド。
【請求項１７】
刈払用回転ヘッドが、駆動シャフト（６）上に回転刃の支持体を固定する手段を含むことを特徴とする、請求項１〜１５のいずれか一つに記載の多機能回転刈払用ヘッド。
【請求項１８】
駆動シャフト（６）上の刈払用回転刃（５）の軸心方向固定を可能にする手段は、一方では刈払用回転刃が提示する軸心方向開口部（５Ａ）そして他方では駆動シャフトの遠位部分（６Ａ）がその端部から離れたところに有する環状溝（６Ｃ）を含んでおり、前記駆動シャフトの端部部分は、前記溝から出発して、直径方向反対側にある二つの長手方向雌型切込み（６Ｄ）の備わった円形形状を形成し、一方刈払用回転刃の軸心方向開口部は、前記端部部分の断面形状の形状と同一の雄型形状（５Ｃ）を形成していることを特徴とする請求項１〜１７のいずれか一つに記載の多機能刈払用回転ヘッド。
【請求項１９】
ケースの上部部分の下縁部と刈払用回転刃に、位置づけ用相補的手段が具備されていることを特徴とする、請求項１〜１８のいずれか一つに記載の多機能回転刈払用ヘッド。
【請求項２０】
外側ケースと刈払用回転刃との位置づけ用相補的手段が、一方では弓形外縁部により画定され、回転刃が形成する開口部の直径方向アラインメントの両側でそこから等距離のところに配置されたスリット（１３）を二本、そして他方では前記上部部分の基部に備わった直径方向に相対する案内用および停止用突出部（３３）を含むことを特徴とする請求項１〜１９のいずれか一つに記載の多機能刈払用回転ヘッド。
【請求項２１】
外側ケースの側壁の下位部分とスライドカップの円形上部部分には、相補的保持用手段（１５、１６、１７、１８）が備わっており、これらの手段の組立てには、二つの部材間の相対的な軸心方向運動とそれに続く保持用手段の相補的装置の嵌合を可能にする制限された振幅の回転運動のみが必要であることを特徴とする、請求項１〜２０のいずれか一つに記載の多機能刈払用回転ヘッド。
【請求項２２】
外側ケース（１Ａ）とカップ（１Ｂ）の保持用手段が、一方では、外側ケースの円筒形側壁の内部表面の円形下縁部付近でこの下縁部に沿って、直径方向に相対する丸味のついた肩部（１６）を少なくとも二つ、そして他方では、スライドカップの軸心に対し平行に延在し、この軸心の方向に配向されたロック用ツメまたは突起（１５Ａ）を備えた自由端部を有する直径方向に相対するラッチ突片（１５）を少なくとも二つ含むことを特徴とする、請求項１〜２１のいずれか一つに記載の多機能刈払用回転ヘッド。
【請求項２３】
各肩部（１６）の端部の一つに配置され、スライドカップを組立て位置に設置する際にロック用ツメまたは突起（１５Ａ）の回転運動を制限するストッパー（１６Ａ）を含むことを特徴とする、請求項２２に記載の多機能刈払用回転ヘッド。
【請求項２４】
ツメの縁部およびツメの丸味のついた肩部には、外側ケースの複数部分の組立ての際に、回転運動の終りでロックする相補的手段が備わっていることを特徴とする、請求項２２または請求項２３に記載の多機能刈払用回転ヘッド。
【請求項２５】
外側ケースの上部部分上に下部部分をロックするための相補的手段が、肩部（１６）の上部面が提示するピン（１７）と、組立て用回転運動の終りでこのロック用ピンが自動的に係合するツメ外縁部内に具備されたノッチ（１８）とによって構成されていることを特徴とする、請求項２２〜２４のいずれか一つに記載の多機能刈払用回転ヘッド。
【請求項２６】
草刈機またはボーダートリマーまたはブラッシュカッターまたは動力鎌またはヘッジトリマーなどの携帯型刈払機において、請求項１〜２５のいずれか一つに記載のとおりに製作された刈払用ストランドまたは刈払用回転刃を選択的に使用する多機能刈払用回転ヘッドが装備されていることを特徴とする、携帯型刈払機。
【発明の詳細な説明】
【技術分野】
【０００１】
本発明は、多機能刈払用回転ヘッドに関する。本発明は、より詳細には、草刈機またはトリマーなどとも呼ばれるボーダートリマー、ブラッシュカッターまたは動力鎌、ヘッジトリマーまたはそれに類するものなどの携帯型刈払機を目的としている。
【背景技術】
【０００２】
概して、強度の低い芝や草を切断することをその通常の機能とする機器を、ボーダートリマーまたはトリマーという名称の下に分類するのが一般的である。この用途に使用される刈払用回転ヘッドは一般に、プラスチック材料の可撓性ワイヤーストランド、例えば「ナイロン」ワイヤーストランドでその刈払用要素が構成されている種類のものである。一方で、すでに木質化した植物（小さな茂み、木や低木の再生、丈の高い草、垣根…）の刈払をその通常の機能とする機器は、むしろブラッシュカッター、ヘッジトリマーと呼ばれ、それらの刈払用回転ヘッドは金属製または硬質プラスチック材料製の回転刃を使用している。一例としては、可撓性の刈払用ワイヤーストランドで構成される刈払用要素を使用する刈払用回転ヘッドの考えられるさまざまな配置について記述している文書、特許文献１、特許文献２、特許文献３、特許文献４、特許文献５、特許文献６、特許文献７、特許文献８が指摘される。金属製刈払用回転刃を使用する刈払用回転ヘッドの例は、例えば特許文献９中に記載されている。
【０００３】
これらの刈払用回転ヘッドは、前記刈払用回転ヘッドの回転駆動用原動機の制御用および案内用のＵ字形ハンドルすなわち折り返し型ハンドルならびに運搬用ハーネスの固定用のリングが装備された柄の遠位端部に取り付けられる。
【０００４】
現在市場で入手可能な携帯型刈払機は、唯一のタイプの刈払手段のみを使用するように構想されているか、または多目的性を得ようとして一部の機械では、これらのタイプの刈払用要素の各々のために互換性ある回転ヘッドのうちの特定の一つ（ワイヤー用のもの、金属回転刃用のものなど）が具備されている。
【０００５】
一つのタイプから別のタイプへ移行したい場合には、一方のタイプの支持体全体またはその一部分を分解してその代りにもう一つのタイプの支持体全体またはその一部分を装着する必要がある。これら二つのタイプの支持体は、分解と一つまたは複数の工具の使用を必要とする。この状況にはなおも次のような欠点がある。
−  ユーザーに対して、分解作業（多くの場合左ネジ）の訓練の必要性／刈払用工具の支持体の分解と再取付け作業、したがって、つねに手元においておかなくてはならない刈払用工具の使用が必要となることという欠点。
−  時間の浪費や怪我のおそれ、分解および再取付けの際の部品の喪失という欠点。  
【０００６】
刈込みまたは下草刈作業を実行すべき表面の状況を理由として、ユーザーは、柔らかい草（例えば木を取囲む表面または、壁または小路または植込みの縁などの硬質の障害物の近くにある表面）の刈払用にワイヤー式機器を、そして丈が高く硬い草の中または木本植物（イバラ、シダ植物など）の中あるいは雑木林の中での下草刈のため、またはヘッジトリミングまたは低木の除去作業のためには回転刃付き機器を購入せざるを得なくなることが多い。この状況は、刈払用機材の購入および供用開始にかかる費用の増大をもたらすと考えられている。
【０００７】
特定の刈払作業専用の上述の種類の機器が有する欠点を補正するために特許文献９の中で、草および低木の組合せ刈払のための二重作用の低木ブラッシュカッター用工具において、低木の下草刈用レーキの回転ヘッド上に連結する目的をもつ中央穴が備わった矩形形状の回転刃と、それ自体ナイロンまたは他の丈夫なプラスチック材料製の小さいワイヤーを挿入する目的をもつ円筒形の一対の横断穴を備えた適切な器材で構成される工具が提案された。この工具は、回転刃の取付けおよび分解作業を回避しながら草および低木を同時に切断することを可能にし、同様にこれらの草および低木の有効な崩壊も可能にする。
【０００８】
この工具は、それが草および小さな樹木も同時に切断して、切断された部分を粉砕することができるとしても、硬質の障害物の近くで作業することが求められるボーダートリマーまたは草刈機に装備できないかぎりにおいて、多目的のものではない。
【発明の概要】
【発明が解決しようとする課題】
【０００９】
本発明の目的は、ボーダートリマーまたはブラッシュカッターといった種類の携帯型刈払機における上記に強調した欠点の数々を改善することにある。
【課題を解決するための手段】
【００１０】
記述されている例によると、本発明に係る刈払用回転ヘッドが特に傑出していることは、少なくとも二つの部分すなわち上部部分とその基部に組立てられた下部部分とで構成される回転する外側ケースを含み、この外側ケース内には、制限された振幅で軸心方向に並進運動できる状態で刈払用要素（単数または複数）または刈払用工具（単数または複数）の支持体が収納されており、この支持体と一体化した形で回転駆動する軸心方向シャフトが支持体を貫通しており、その上部部分は、携帯型刈払機をその原動機と結合させることができるように配置されており、前記刈払用要素（単数または複数）または刈払用工具（単数または複数）の支持体が、前記軸心方向駆動シャフト上に制限された振幅で軸心方向に移動できる状態で取付けられており、前記刈払用要素（単数または複数）または刈払用工具（単数または複数）の支持体には、刈払用要素または刈払用工具を選択的に取付けるための二つの段、すなわち：
−  刈払用ワイヤーストランドを取付けるように配置された第一段と、
−  互換性ある刈払用回転刃を取付けるように配置された第二段と
が具備されているという点である。
【００１１】
好ましい一実施形態によると、前記刈払用要素（単数または複数）または刈払用工具（単数または複数）の支持体には、これらを選択的取り付けのための二つの段、すなわち：
−  刈払用ワイヤーストランドを取付けるように配置されている第一の上部段；
−  互換性ある刈払用回転刃を取付けるように配置されている第二の下部段；
が具備されている。
【００１２】
刈払用回転ヘッドは、前記外側ケースと前記刈払用要素（単数または複数）または刈払用工具（単数または複数）の支持体とに対して相対的に反対の方向の軸心方向運動を同時に印加することで、選択された刈払用要素（単数または複数）のタイプに対応する段が、前記刈払用要素の位置づけまたは取出しを可能にする位置へ装着される、またはこの刈払用要素（単数または複数）が、選択された複数の刈払用要素のタイプに対応する前記支持体の段上に固定されるような形に適応される、選択された刈払用要素（単数または複数）の固定または分離用手段を含んでいる。
【００１３】
好ましいまたは有利な一実施形態によると、外側ケースならびに刈払用要素（単数または複数）または刈払用工具（単数または複数）の支持体は、前記外側ケースとその内部に収納された前記支持体とに対する収束的な軸心方向運動の同時印加が、前記刈払用要素（単数または複数）の位置づけまたは取出しを可能にする位置への選択された刈払用要素（単数または複数）のタイプに対応する段の装着を可能にするために使用され、一方前記外側ケースと前記支持体とに対する発散的な軸心方向運動の同時印加が、選択された刈払用要素タイプに対応する支持体の段上での前記刈払用要素の自動的固定を可能にするような形で、配置されている。
【００１４】
別の特徴的配置の一つによると、外側ケースと刈払用要素（単数または複数）または刈払用工具（単数または複数）の支持体とについての相対的収束的な軸心方向運動は、弾性復元手段の作用下で自動的に得られ、こうして、刈払用回転ヘッド内に位置づけされた後の刈払用要素または刈払用工具の自動的固定が可能になる。
【００１５】
好ましい一実施形態によると、弾性付勢手段は、外側ケースの内部間仕切りと内部の刈払用要素（単数または複数）または刈払用工具（単数または複数）の支持体との間に間置され圧縮作用を及ぼすバネにより構成されている。
【００１６】
別の特徴的配置の一つによると、刈払用要素（単数または複数）または刈払用工具（単数または複数）の支持体の上部段は、互いにおよび刈払用回転ヘッドの回転軸心に対して平行な平面内で旋回できる状態で取付けられた挟持用カムを有する締結機構の支持体と回転的に一体化され外側ケースの側壁内に設けたオリフィスを貫通して刈払用回転ヘッドの外側ケースの内部に係合された刈払用ストランドを締結する機構を含んでおり、この刈払用要素または刈払用工具の支持体は刈払用回転ヘッドの外側ケース内で制限された振幅で軸心方向並進運動できる状態で取付けられており、この外側ケースと締結機構の支持体は相補的に配置されており、こうして、前記外側ケースと前記支持体とに対する収束的な軸心方向運動の同時印加は、刈払用回転ヘッドの内部での刈払用ストランドの導入、摺動または位置づけを許容するような形で挟持用カムを持ち上げることを可能にするために使用され、一方前記外側ケースと前記支持体とに対する発散的な軸心方向運動の同時印加は、刈払用回転ヘッド内で刈払用ストランドを活動位置に固定するよう前記カムを再度低下させることを可能にしている。
【００１７】
別の特徴的配置の一つによると締結機構は、外側ケースの開口部の正面で刈払用回転ヘッドの回転軸心の両側で平行に配置された刈払用ストランドの案内用および位置づけ用の通路を二本含んでおり、これらの通路の各々の入口部分は露出され、この露出部分と対面して旋回カムが取付けられており、このカムは、前記露出部分の方向にその挟持用表面を押し当てるためのバネの作用を受け、こうして位置づけ用通路内に係合した刈払用ストランドをこの通路の底部に対し強く圧迫し、こうして前記刈払用ストランドを確実に固定しており、外側ケース内には、該外側ケースの上部間仕切りと一体化されカムを押し戻し旋回させることを可能にするスラストフィンガーが備わり、こうして、外側ケースと締結機構の支持体が前記外側ケースの上部間仕切りと締結機構の支持体の上部面を接近させるための収束的圧迫力を受けた場合に、刈払用ストランド上のこのカムの圧迫を除去するようになっている。
【００１８】
別の特徴的配置の一つによると、刈払用回転刃は、外側ケースの上部と下部部分との間に取外し可能な形で挿入されている。表示されている有利な実施形態によると：
−  刈払用要素または刈払用工具の支持体の下部段は、回転刃の支持体により構成され、この回転刃の支持体と刈払用回転刃には、この回転刃の位置づけ用および回転的結合用の相補的手段が具備されており、これらの手段は、前記外側ケースと前記回転刃の支持体とに対する相対的収束的な軸心方向運動の手作業による同時印加によってそれらの活動位置から分離されることができ；
−  相補的手段は駆動シャフトの遠位部分上に刈払用回転刃を軸心方向に固定し；
−  回転刃が回転刃の支持体上に位置づけされた場合に、結合手段が前記回転刃の支持体と回転刃との自動的回転リンクを可能にする。
【００１９】
別の特徴的配置の一つによると、回転刃の中央部分は、
−  一方では、駆動軸の通過のための中央開口部、前記中央軸の両側に配置された二つの結合用オリフィス、湾曲した外縁部を有する二つの切抜き部と；
−  他方では、回転シャフトの遠位部分上でロック位置まで回転刃を圧入することを可能にする中実部分と；
を有する。
【００２０】
別の有利実施形態の一つによると、回転刃の支持体および回転刃の中央部分は、回転刃の支持体と回転刃とについての相対的収束的な軸心方向運動とそれに続く回転刃の回転運動による前記回転刃の支持体上への前記回転刃の装着を可能にするような形で配置され、回転刃の除去は逆の運動により行なわれる。
【００２１】
別の一実施形態によると、回転刃の支持体に対する刈払用回転刃の位置づけ用および結合用手段は、一方では、前記回転刃の支持体内に設けられた軸心方向開口部の両側で前記回転刃の支持体の下側面に配置された二つの結合用スタッドを含み、かつ他方では、駆動シャフトの遠位部分が中に係合される回転刃の軸心方向開口部の両側に作られた二つのオリフィスを含んでいる。
【００２２】
別の有利な実施形態の一つによると、内部の回転刃の支持体と外側ケースの回転的結合は、外側ケースの上部間仕切りの内部面と一体化され刈払用回転ヘッドの回転軸心に対し平行にこの刈払用回転ヘッドの内部に向かって配向されている駆動用フィンガーを用いて実行され、これらの駆動用フィンガーは、回転刃の支持体内に設けられた溝の中に摺動できる状態で係合されている。
【００２３】
別の実施形態の一つによると、結合用溝は、回転刃の支持体の少なくとも二つの相対する側に設けられている。
【００２４】
別の特徴的配置の一つによると駆動シャフトは、回転刃の支持体内に設けられた軸心方向通路を貫通し、シャフトの横断部分と前記軸心方向通路は、前記支持体の回転駆動を可能にするように適合された相補的断面形状を形成する。
【００２５】
好ましい一実施形態によると、前記刈払用回転ヘッドは、駆動シャフトの貫通部分上における回転刃の支持体の軸心方向並進運動の振幅を制限するための手段を有する。
【００２６】
別の特徴的配置の一つによると、刈払用回転ヘッドは、駆動シャフト上で回転刃の支持体を固定する手段を含む。
【００２７】
好ましい一実施形態によると、駆動シャフト上の刈払用回転刃の軸心方向固定を可能にする手段は、一方では刈払用回転刃が形成する軸心方向開口部そして他方では駆動シャフトの遠位部分がその端部から離れたところに有する環状溝を含んでおり、前記駆動シャフトの端部部分は、前記溝から出発して、直径方向反対側にある二つの長手方向雌型切込みの備わった円形形状を形成し、一方刈払用回転刃の軸心方向開口部は、前記端部部分の断面形状の形状と同一の雄型形状を形成している。
【００２８】
別の特徴的配置の一つによると、外側ケースの上部部分の下縁部と刈払用回転刃には、位置づけ用相補的手段が具備されている。
【００２９】
好ましい一実施形態によると、外側ケースと刈払用回転刃との位置づけ用相補的手段は、一方では弓形外縁部により画定され、回転刃が形成する開口部の直径方向アラインメントの両側でそこから等距離のところに配置された二本のスリットを、そして他方では前記上部部分の基部に備わった直径方向に相対する案内用および停止用突出部を含んでいる。
【００３０】
別の特徴的配置の一つによると、外側ケースの側壁の下位部分とスライドカップの円形上部部分には、相補的保持用手段が備わっており、これらの手段の組立てには、二つの部材の相対的な軸心方向運動とそれに続く保持用手段の相補的装置の嵌合を可能にする制限された振幅の回転運動のみが必要である。
【００３１】
別の特徴的配置の一つによると、外側ケースとカップの保持用手段は、一方では、外側ケースの円筒形側壁の内部表面の円形下縁部付近でこの下縁部に沿って、少なくとも二つの直径方向に相対する丸味のついた肩部を、そして他方では、スライドカップの軸心に対し平行に延在し、この軸心の方向に配向されたロック用ツメまたは突起を備えた自由端部を有する直径方向に相対する少なくとも二つのラッチ突片を含んでいる。
【００３２】
好ましくは、刈払用回転ヘッドは、各肩部の端部の一つに配置され、スライドカップを組立て位置に装着する際にロック用ツメまたは突起の回転運動を制限するストッパーを含んでいる。
【００３３】
別の有利な配置の一つによると、ツメの縁部およびツメの丸味のついた肩部には、外側ケースの複数部分の組立ての際に、回転運動の終りでロックする相補的手段が備わっている。
【００３４】
好ましい一実施形態によると、外側ケースの上部部分上に下部部分をロックするための相補的手段は、肩部の上部面が提示するピンと、組立て用回転運動の終りでこのロック用ピンが自動的に係合するツメ外縁部内に具備されたノッチとによって構成されている。
【００３５】
本発明に係わる草刈機、またはボーダートリマー、またはブラッシュカッター、または動力鎌、またはヘッジトリマーなどの携帯型刈払機が傑出し有利なことは、実行すべき作業に応じて上述の特徴を有する刈払用の可撓性ワイヤーストランドまたは刈払用回転刃を使用する刈払用回転ヘッドが装備されているという点である。
【００３６】
上述のおよびさらに他の目的、特徴および利点は、以下の詳細な説明および添付図面からさらに明確になるものである。
【図面の簡単な説明】
【００３７】
【図１Ａ】可撓性の刈払用ワイヤーストランドを備え刈払用回転刃が装備されることができる、本発明に係る刈払用回転ヘッドの斜視図である。
【図１Ｂ】刈払用回転刃を備え可撓性の刈払用ワイヤーストランドが装備されることができる、本発明に係る刈払用回転ヘッドの斜視図である。
【図２】スライドカップを除いた、本発明に係る互換性ある刈払用回転刃が装備された刈払用回転ヘッドの斜視図である。
【図３Ａａ】ロック解除位置にある、刈払用ワイヤーストランドの備わった刈払用回転ヘッドの正面図である。
【図３Ａｂ】ロック位置にある、刈払用回転刃の備わった刈払用回転ヘッドの正面図である。
【図３Ｂａ】図３ＡａのラインＥａ−Ｅａで切断した断面図である。
【図３Ｂｂ】図３ＡｂのラインＥｂ−Ｅｂで切断した断面図である。
【図３Ｃａ】図３ＢａのラインＬａ−Ｌａで切断した断面図である。
【図３Ｃｂ】図３ＢｂのラインＬｂ−Ｌｂで切断した断面図である。
【図３Ｄａ】図３ＢａのラインＫａ−Ｋａで切断した断面図である。
【図３Ｄｂ】図３ＢｂのラインＫｂ−Ｋｂで切断した断面図である。
【図３Ｅ】図３ＢａのラインＲ−Ｒで切断した下側断面図である（ロック解除位置）。なお、上記図３Ａａ〜３Ｅは、可動型の刈払用要素または刈払用工具の支持体の上部段を構成する締結機構が、挟持用カムの収納および前記機構内へのワイヤーの導入を可能にする上位位置に移動させられるときの、外側ケース内の刈払用ワイヤーストランドの位置づけ段階を示している。
【図４Ａ】外側ケースの上部部分の下部面上またはそれに対して金属製回転刃を手作業で装着する最初の段階を示す斜視図である。
【図４Ｂ】図４Ａで刈払用回転刃およびスライドカップの取出し後の下面図である。
【図４Ｃ】図４Ａでスライドカップを除いた外面の分解組立図である。
【図５Ａ】図５ＢのラインＥ−Ｅで切断した下面断面図である。
【図５Ｂ】図４ＣのラインＤ−Ｄで切断した断面図である。
【図５Ｃ】図５Ｂの目印Ｆに係る拡大詳細図である。
【図６Ａ】金属製回転刃の位置づけの第二段階を示す、図３Ａと同様の斜視図である。
【図６Ｂ】図６Ａでスライドカップを除いた下面図である。
【図６Ｃ】図６Ａでスライドカップを除いた外観図である。
【図７Ａ】図６ＣのラインＥ−Ｅで切断した断面図である。
【図７Ｂ】図６ＣのラインＤ−Ｄで切断した断面図である。
【図７Ｃ】図７Ｂの目印Ｆに係る拡大詳細図である。
【図８Ａ】金属製回転刃の位置づけの第三段階を示す斜視図である。
【図８Ｂ】図８Ａでスライドカップを除いた、下面図である。
【図８Ｃ】図８Ａでスライドカップを除いた、外観図である。
【図９Ａ】図９ＢのラインＥ−Ｅで切断した断面図である。
【図９Ｂ】図８ＣのラインＤ−Ｄで切断した断面図である。
【図９Ｃ】図９Ｂの目印Ｆに係る拡大詳細図である。
【図１０Ａ】ロック位置にある金属製回転刃の位置づけの第四段階を示す斜視図である。
【図１０Ｂ】図１０Ａの下面図である。
【図１０Ｃ】スライドカップを除いた図１０Ａの外観図である。
【図１１Ａ】図１１ＢのラインＥ−Ｅで切断した断面図である。
【図１１Ｂ】図１０ＣのラインＤ−Ｄで切断した断面図である。
【図１１Ｃ】図１１Ｂの目印Ｆに係る拡大詳細図である。
【図１２Ａ】スライドカップが固定解除された状態にある、ロック位置のワイヤーストランドが装備された刈払用回転ヘッドを示す正面図である。
【図１２Ｂ】固定位置にある金属製回転刃が装備された刈払用回転ヘッドを示す正面図である。
【図１３Ａ】スライドカップが固定解除位置にある、図１２ＡのラインＭ−Ｍで切断した断面図である。
【図１３Ｂ】スライドカップが固定位置にある、図１２ＢのラインＭ−Ｍで切断した断面図である。
【図１４Ａ】図１３ＡのラインＮ−Ｎで切断した断面図である。
【図１４Ｂ】図１３ＢのラインＮ−Ｎで切断した断面図である。
【図１５Ａ】スライドカップが固定解除位置にある、図１２ＡのラインＭ−Ｍで切断した断面図である。
【図１５Ｂ】スライドカップが固定位置にある、図１２ＢのラインＭ−Ｍで切断した断面図である。
【図１６Ａ】図１５ＡのラインＮ−Ｎで切断した断面図である。
【図１６Ｂ】図１５ＢのラインＮ−Ｎで切断した断面図である。
【図１７】本発明に係る金属製回転刃を用いる刈払用回転ヘッドが装備された草刈機の斜視図である。
【発明を実施するための形態】
【００３８】
本発明に係る多目的刈払用回転ヘッドの有利ではあるが非限定的なものである実施例を説明するために、前記の各図が参照される。
【００３９】
以下の説明文および特許請求の範囲内の説明において、本発明の記述を容易にする目的で、「上位」、「下位」、「上部」、「下部」、「側方」、「上部段」、「下部段」などの用語は、前記の刈払用回転ヘッドの軸心がそれに沿って配向されている作業中の刈払用回転ヘッドの位置を基準にして使用されている。したがって、これらの用語および表現に限定的な意味は全くない。
【００４０】
刈払用回転ヘッド１は、少なくとも二つの部分１Ａおよび１Ｂ、すなわち上部部分１Ａとその基部に組立てられた下部部分１Ｂとで構成される回転する外側ケースを含み、この外側ケース内には、制限された振幅で軸心方向に並進運動できる状態で刈払用要素（単数または複数）（図１Ａおよび１Ｂ）または刈払用工具（単数または複数）３、５の支持体２が収納されており、この支持体をそれと一体化した形で回転駆動する軸心方向シャフト６が貫通しており、その上部部分は、携帯型刈払機をその原動機と結合させることができるように配置されており、前記刈払用要素（単数または複数）または刈払用工具（単数または複数）の支持体２は、前記軸心方向駆動シャフト６上に制限された振幅で軸心方向に移動できる状態で取付けられており、前記刈払用要素（単数または複数）または刈払用工具（単数または複数）の支持体には、刈払用要素または刈払用工具を選択的に取付けるための二つの段、すなわち：
−  刈払用ワイヤーストランド３（図Ａａ〜３Ｆ）を取付けるように配置された第１の上部段と、
−  互換性ある刈払用回転刃５（図４Ａ〜１０Ｃ）を取外し可能な形で取付けるように配置された第二の下部段と、
が具備されている。
【００４１】
刈払用回転ヘッドは、前記外側ケース１Ａと前記刈払用要素または刈払用工具の支持体２とに対して相対的に反対方向の軸心方向運動を同時に印加することで、
−  選択された刈払用要素３または５に対応する段が、前記刈払用要素の位置づけまたは取出しを可能にする位置へ装着される；または、
−  この刈払用要素が、選択された刈払用要素のタイプに対応する前記支持体の段上に固定される；
ような形で適応された、選択された刈払用要素（単数または複数）３または５の固定または分離用手段を含んでいる。
【００４２】
この実施例によると、外側ケース１Ａならびに刈払用要素または刈払用工具の支持体２は、該外側ケースとその内部に収納された前記支持体とに対する収束的な軸心方向運動の同時印加が、前記刈払用要素の位置づけまたは取出しを可能にする位置への選択された刈払用要素３、５に対応する段への装着を可能にするために使用され、一方前記外側ケースと前記支持体とに対する発散的な軸心方向運動の同時印加が、選択された刈払用要素タイプに対応する支持体の段上での自動的固定を可能にするような形で、配置されている。
【００４３】
外側ケース１Ａと刈払用要素（単数または複数）または刈払用工具（単数または複数）３、５の支持体２とについての相対的収束的な軸心方向運動は、弾性付勢手段７の作用下で自動的に得られ、こうして、刈払用回転ヘッド内に位置づけされた後の刈払用要素または刈払用工具の自動的固定が可能になる。
【００４４】
弾性付勢手段は、外側ケースの内部間仕切り４と内部刈払用要素（単数または複数）または刈払用工具３、５の支持体２との間に間置され圧縮作用を及ぼすバネ７により構成されている。
【００４５】
以下では、本件出願人により同日に提出された別個の特許出願の対象となった刈払用要素の支持体（２）の上部段の考えられる非限定的配置例について記述する。
【００４６】
刈払用要素（単数または複数）または刈払用工具の上部段は、互いにおよび刈払用回転ヘッドの回転軸心に対して平行な平面内で旋回できる状態で取付けられた挟持用カム９を有する締結機構の支持体と回転的に一体化され外側ケースの側壁１Ｄ内に設けたオリフィス１Ｃを貫通して刈払用回転ヘッドの外側ケース１Ａの内部に係合された刈払用ストランドを締結する機構８を含んでおり、この刈払用要素または刈払用工具の支持体は刈払用回転ヘッドの外側ケース内で制限された振幅で軸心方向の並進運動できる状態で取付けられており、この外側ケース１Ａと締結機構の支持体２は相補的に配置されており、こうして、前記外側ケースと前記支持体とに対する収束的な軸心方向運動の同時印加（図３Ｂａ、矢印Ｆ１）は、刈払用回転ヘッドの内部での刈払用ストランド３の導入、摺動または位置づけを許可するような形で挟持用カムを持ち上げることを可能にするために使用され、一方前記外側ケースと前記支持体とに対する発散的な軸心方向運動の同時印加（図３Ｂｂ、矢印Ｆ２）は、刈払用回転ヘッド内で刈払用ストランドを活動位置に固定するよう前記カムを再度低下させることを可能にしている。
【００４７】
締結機構は、外側ケースの開口部１Ｃの正面で刈払用回転ヘッドの回転軸である駆動シャフト６の両側で平行に配置された刈払用ストランド３の案内用および位置づけ用の通路２Ｈを二本含んでおり、これらの通路の各々の入口部分が露出され、この露出部分と対面して旋回カム９が取付けられており、このカムは、前記露出部分の方向にその挟持用表面を押し当てるためのバネ１０の作用を受け、こうして位置づけ用通路内に係合した刈払用ストランドをこの通路の底部に対し強く圧迫し、こうして前記刈払用ストランドを確実に固定している。外側ケース内には、該外側ケースの上部間仕切り４と一体化されカムを押し戻し旋回させることを可能にするスラストフィンガー１２が備わり、こうして、外側ケースと締結機構の支持体が前記外側ケースの上部間仕切りと締結機構の支持体の上部面を接近させるための収束的圧迫力を受けた場合に、刈払用ストランド３上のこのカムの圧迫を除去するようになっている。
【００４８】
以下では、本件出願人により同日に提出された別の特許出願の対象となった、互換性ある刈払用回転刃５の取付を可能にする刈払用回転ヘッドの下部段の考えられる非限定的配置例について記述する。
【００４９】
この実施形態によると、刈払用回転刃５は外側ケースの上部部分１Ａおよび下部部分１Ｂの間に挿入されている。
【００５０】
より厳密に言うと、
−  刈払用要素または刈払用工具５の支持体の下部段は、回転刃の支持体２により構成され、この回転刃の支持体と刈払用回転刃５には、この回転刃の位置づけ用および回転的結合用の相補的手段が具備されており、これらの手段は、前記外側ケースと前記回転刃の支持体とに対する相対的収束的な軸心方向運動の手作業による同時印加によってそれらの活動位置から分離されることができる。
−  回転刃の中央部分は、
−  一方では、駆動シャフト６の通過のための中央開口部５Ｂ、前記中央開口部の両側に配置された二つの結合用オリフィス５Ｆ、湾曲した外縁部１３Ａを有する二つの切抜き部１３と；
−  他方では、回転シャフトの遠位部分上でロック位置まで回転刃を圧入することを可能にする中実部分５Ｅと；
を有している。
【００５１】
回転刃の支持体および回転刃５の中央部分は、回転刃の支持体と回転刃とついての相対的収束的な軸心方向運動とそれに続く回転刃の回転運動による前記回転刃の支持体２上への前記回転刃の装着を可能にするような形で配置され、回転刃の除去は逆の運動により行なわれる。
【００５２】
回転刃の支持体に対する刈払用回転刃の位置づけ用および結合用手段は、一方では、前記回転刃の支持体内に設けられた軸心方向通路２４の下部開口部の両側で前記回転刃の支持体の下側面に配置された二つの結合用スタッド１４を含み、かつ他方では、駆動シャフト６の遠位部分６Ａが中に係合される回転刃の軸心方向開口部５Ｂの両側に作られた二つのオリフィス５Ｆを含んでいる。
【００５３】
別の好ましい一実施形態によると、内部の回転刃の支持体２と外側ケース１Ａの回転的結合は、外側ケースの上部間仕切り４の内部面と一体化され刈払用回転ヘッドの回転軸心に対し平行にこの刈払用回転ヘッドの内部に向かって配向されている駆動用フィンガー１１を用いて実行され、これらの駆動用フィンガー１１は、回転刃の支持体内に設けられた溝Ｒの中に摺動できる状態で係合されている。
【００５４】
結合用溝Ｒは、回転刃の支持体の相対する少なくとも二つの側に設けられている。
【００５５】
別の配置によると、駆動シャフト６は、回転刃の支持体２内に設けられた軸心方向通路２４を貫通し、シャフトの貫通部分と前記軸心方向通路は、前記支持体２の回転駆動を可能にするように適合された相補的断面形状２Ｃ、６Ｄを形成している。
【００５６】
好ましい一実施形態によると、前記刈払用回転ヘッドは、駆動シャフト６の貫通部分上における回転刃の支持体５の軸心方向並進運動の振幅を制限するための手段を有している。これらの手段は、例えば駆動シャフト６に備わった環状切込み６Ｃの中に係合させられる二つのサークリップ１７を含む。刈払用回転ヘッドは、駆動シャフト上に回転刃の支持体を固定する手段を含んでいる。
【００５７】
好ましい一実施形態によると、駆動シャフト６上の刈払用回転刃５の軸心方向固定を可能にする手段は、一方では刈払用回転刃が提示する軸心方向開口部５Ｂそして他方では駆動シャフトの遠位部分６Ａがその端部から離れたところに有する環状溝６Ｃを含んでおり、前記駆動シャフトの端部部分は、前記溝から出発して、直径方向反対側にある二つの長手方向雌型切込み６Ｄの備わった円形形状を形成し、一方刈払用回転刃の軸心方向開口部５Ｂは、前記端部部分の断面形状の形状と同一の雄型形状５Ｃを形成している。
【００５８】
別の配置によると、外側ケースの上部部分１Ａの下縁部２１と刈払用回転刃５には、位置づけ用相補的手段１３〜３３が具備されている。
【００５９】
外側ケース１と刈払用回転刃５との位置づけ用相補的手段は、一方では弓形外縁部１３Ａにより画定され、回転刃５が形成する開口部５Ｆの直径方向アラインメントの両側でそこから等距離のところに配置された二本のスリット１３を、そして他方では外側ケースの上部部分４の基部に備わった直径方向に相対する案内用および停止用突出部３３を含んでいる。
【００６０】
別の特徴的配置によると、外側ケースの側壁１Ｄの一部分とスライドカップの円形上部部分には、相補的保持用手段１５、１６が備わっており、これらの手段の組立てには、二つの部材間の相対的な軸心方向運動とそれに続く保持用手段の相補的装置の嵌合を可能にする制限された振幅の回転運動のみが必要である。
【００６１】
別の配置によると、外側ケース１Ａとカップ１Ｂの保持用手段は、一方では、外側ケースの円筒形側壁１Ｄの内部表面の円形下縁部付近でこの下縁部に沿って、直径方向に相対する丸味のついた肩部１６を少なくとも二つ、そして他方では、スライドカップの軸に対し平行に延在し、この軸の方向に配向されたロック用ツメまたは突起１５Ａを備えた自由端部を有する直径方向に相対するラッチ突片１５を少なくとも二つ含んでいる。
【００６２】
好ましくは、刈払用回転ヘッドは、各肩部１６の端部の一つに配置され、スライドカップを組立て位置に設置する際にロック用ツメまたは突起１５Ａの回転運動を制限するストッパー１６Ａを含んでいる。
【００６３】
別の有利な配置によると、ツメ１５の縁部およびストッパー１６の丸味のついた肩部には、外側ケースの複数部分の組立ての際に、回転運動の終りでロックする相補的手段が備わっている。
【００６４】
また、ある好ましい態様によると  外側ケースの上部部分上に下部部分をロックするための相補的手段は、肩部１６の上部面に配置されたピン１７と、組立て用回転運動の終りでこのロック用ピンが自動的に係合するツメ外縁部１５Ａ内に具備されたノッチ１８とによって構成されている。
【００６５】
刈払用回転ヘッド上への互換性ある可動の回転刃５の装着および分解は、刈払用回転ヘッド上への刈払用回転刃の装着を考慮に入れた上述の説明を読めば充分に理解される：すなわち
−  回転運動によってスライドカップ１Ｂをひき出して、肩部１６とロック用突片１５を分離する；直径方向に相対する二つの窪み２８を有する半球形外部面がこの操作を容易にする；
−  回転刃５を駆動シャフト３の端部に置く（前記端部と回転刃５の軸心方向開口部５Ｂの相補的断面形状を理由として、唯一の位置のみが可能である）；この位置で、刈払用回転刃は、回転刃の支持体２のスタッド１４に接している；
−  前記回転刃５が溝６Ｃのレベルに来るまで、回転刃の支持体の駆動用スタッド１４に接している刈払用回転刃５上に手で穏やかに圧力を加えることによって、刈払用回転刃５の支持体と外側ケース１に対し収束的接近運動を伝達し；回転刃の支持体２の駆動用スタッド１４が、回転刃の中実部分５Ｅに対し密着し結合用オリフィス５Ｆから９０°離隔した状態にあることを目視する。実際には、回転刃５を押すことで得られるこの収束的接近運動は、バネ７の拮抗作用に対抗して回転刃の支持体２を移動させる効果を有する。
−  回転刃に対しおよそ９０°の回転運動を伝達する。この作用の間、回転刃は、外側ケース１Ａの基部と一体化した心出し用突出部３３が中で摺動する弓形スリット１３によって案内される。この回転運動の終りで、
−  一方では、刈払用回転刃５の軸心方向開口部５Ｂ内に突出した雄型の刈払用要素すなわちローブは、駆動シャフト６の環状溝６Ｃの壁の間に係合された状態にあり、
−  他方では、結合用スタッド１４はバネ７の作用下で結合用オリフィス５Ｆ内に自動的に進入し、回転刃の支持体２は、駆動軸心が保持用サークリップ２０に接するまで圧縮バネ７の作用下で駆動シャフト６に沿って軸心方向に移動する。
【００６６】
回転刃５のこの回転作用の際に回転刃の支持体２を固定位置に容易に維持できるようにするため、前記回転刃の支持体２には、その上部面上に、二つのだぼ２９が備わっており、このだぼは、前記回転刃の支持体が上向きに移動する際に、外側ケース１の上部間仕切り４に具備された二つの穴３０内に係合して、原動機３７のカバーとして役立つ刈払用回転ヘッド１の固定支持体３２内に設けられたオリフィス３１内に係合し、こうしてこの作用中の前記回転刃の支持体２の回転は回避される。
【００６７】
−  軸心方向運動そして外側ケース１との関係におけるその後の前記スライドカップ１Ｂの回転によりスライドカップ１Ｂは所定の場所に戻される。
【００６８】
回転刃５の取出しを行なうためには：
スライドカップ１Ｂを除去し、次に回転刃の支持体２の結合用スタッド１４を押して、これらのスタッドを回転刃５のオリフィス５Ｆから抜出し、前記回転刃５を約９０°回転させなければならない。
【００６９】
駆動用スタッドは、再び、駆動シャフト６の相補的断面形状の正面で刈払用回転刃５とローブ５Ａの下に存在し、これにより刈払用回転刃５は、圧縮バネ７が作用を及ぼす回転刃の支持体２の作用下で前記駆動軸心から解放されるまで、駆動シャフト６の遠位部分の方向に移動することができる。
【００７０】
本発明は、また、先に説明された特徴を有する刈払用回転ヘッドの備わった、またはそれが装備される可能性のある例えば草刈機、ボーダートリマー、ブラッシュカッター、ヘッジトリマーなどの携帯型刈払機にも関する。
【００７１】
図１７でその一例が全体として３５という符号で示されているこのような機器が、全体的に構成するのは、刈払用回転ヘッド１（１Ａ、１Ｂ、１Ｃ）を担持する遠位端部を有する柄３６、刈払用回転ヘッドの回転駆動のため柄の下部部分または上部部分に設置された動力３７、この動力の案内用および制御用のＵ字形ハンドルすなわち折り返し型ハンドル３８、運搬用ハーネス４０の固定用リング３９である。刈払用回転ヘッドの駆動用動力は、熱機関によって確保されるか、または、携帯型電池または配電線への接続により給電される電動機によって確保されることができる。
【符号の説明】
【００７２】
１  多機能刈払用回転ヘッド
２  支持体
３  刈払用ワイヤーストランド
５  刈払用回転刃
６  駆動シャフト
【先行技術文献】
【特許文献】
【００７３】
【特許文献１】米国特許出願公開第２００１／００２３５４２号明細書
【特許文献２】米国特許第６４０１３４４号明細書
【特許文献３】米国特許第６９４４９５６号明細書
【特許文献４】国際公開第２００４／０６４４８９号
【特許文献５】国際公開第２００５／０３２２３７号
【特許文献６】国際公開第２００６／０１７３７２号
【特許文献７】国際公開第２００８／１３９２４６号
【特許文献８】仏国特許出願公開第２８８８０８５号明細書
【特許文献９】国際公開第２００７／０９９４４３号
【図１Ａ】
2013524803.tif 000003
【図１Ｂ】
2013524803.tif 000004
【図２】
2013524803.tif 000005
【図３Ａａ】
2013524803.tif 000006
【図３Ａｂ】
2013524803.tif 000007
【図３Ｂａ】
2013524803.tif 000008
【図３Ｂｂ】
2013524803.tif 000009
【図３Ｃａ】
2013524803.tif 000010
【図３Ｃｂ】
2013524803.tif 000011
【図３Ｄａ】
2013524803.tif 000012
【図３Ｄｂ】
2013524803.tif 000013
【図３Ｅ】
2013524803.tif 000014
【図４Ａ】
2013524803.tif 000015
【図４Ｂ】
2013524803.tif 000016
【図４Ｃ】
2013524803.tif 000017
【図５Ａ】
2013524803.tif 000018
【図５Ｂ】
2013524803.tif 000019
【図５Ｃ】
2013524803.tif 000020
【図６Ａ】
2013524803.tif 000021
【図６Ｂ】
2013524803.tif 000022
【図６Ｃ】
2013524803.tif 000023
【図７Ａ】
2013524803.tif 000024
【図７Ｂ】
2013524803.tif 000025
【図７Ｃ】
2013524803.tif 000026
【図８Ａ】
2013524803.tif 000027
【図８Ｂ】
2013524803.tif 000028
【図８Ｃ】
2013524803.tif 000029
【図９Ａ】
2013524803.tif 000030
【図９Ｂ】
2013524803.tif 000031
【図９Ｃ】
2013524803.tif 000032
【図１０Ａ】
2013524803.tif 000033
【図１０Ｂ】
2013524803.tif 000034
【図１０Ｃ】
2013524803.tif 000035
【図１１Ａ】
2013524803.tif 000036
【図１１Ｂ】
2013524803.tif 000037
【図１１Ｃ】
2013524803.tif 000038
【図１２Ａ】
2013524803.tif 000039
【図１２Ｂ】
2013524803.tif 000040
【図１３Ａ】
2013524803.tif 000041
【図１３Ｂ】
2013524803.tif 000042
【図１４Ａ】
2013524803.tif 000043
【図１４Ｂ】
2013524803.tif 000044
【図１５Ａ】
2013524803.tif 000045
【図１５Ｂ】
2013524803.tif 000046
【図１６Ａ】
2013524803.tif 000047
【図１６Ｂ】
2013524803.tif 000048
【図１７】
2013524803.tif 000049
【国際調査報告】
2013524803.tif 000050
2013524803.tif 000051
2013524803.tif 000052
2013524803.tif 000053